(57)【要約】【課題】  しおり体が安定した状態においてページシートをより軽い力で滑らかに捲ることができる自動しおりを提供する。【解決手段】  自動しおり１３は１枚の合成樹脂よりなる１枚の矩形状のシートより構成されている。第２ベースシート１６は、第１ベースシート１５に対して第１部分２５ａ，第１部分２５ｂにおいて折り返されている。しおり体１８は第１部分２５ａ，第１部分２５ｂの間に位置する第２部分２７ａ，第２部分２７ｂにおいて、第１ベースシート１５から伸びるように構成されている。しおり体１８は第２部分２７ａ，第２部分２７ｂから一対のしおり片２０ａ，しおり片２０ｂが伸び、これらは第１ベースシート１５から離れるにつれて接近し、その各々の端部において接続して一体化されて頂部２４を構成する。又、しおり片２０ａ，しおり片２０ｂの中間部に掛け渡すように掛け渡し片２２が接続されている。【選択図】      図１
2008030200.tif 000002
【特許請求の範囲】
【請求項１】
書籍に挟んで使用する自動しおりであって、
シート状のベースシートと、
前記ベースシートの端縁に接続され、前記ベースシートに対向する位置に伸びるしおり体とを備え、
前記しおり体は、前記端縁であって所定距離離れた位置の各々に接続され、外方に向かうにつれて互いに接近すると共に各々の端部において接続して一体化する一対のしおり片と、前記しおり片の各々の中間部分に掛け渡すように接続される掛け渡し片とからなる、自動しおり。
【請求項２】
前記しおり体は、逆Ａ字形状を有する、請求項１記載の自動しおり。
【請求項３】
書籍に挟んで使用する自動しおりであって、
シート状のベースシートと、
前記ベースシートの端縁に接続され、前記ベースシートに対向する位置に伸びるしおり体とを備え、
前記しおり体は、前記端縁であって所定距離離れた位置の各々に接続され、外方に向かうにつれて互いに接近する一対の支持片と、前記支持片の各々の先端にその底辺の両端の一部が接続された三角形形状を有するしおり片とからなる、自動しおり。
【請求項４】
前記しおり片は、前記底辺以外の二辺が等しい二等辺三角形形状を有すると共に、前記二辺と前記支持片の外方側の辺とが整列する、請求項３記載の自動しおり。
【請求項５】
前記ベースシートは、
シート状の第１ベースシートと、
前記第１ベースシートの端縁の少なくとも一部にその端縁が折り返し自在で接続され、前記第１ベースシートに対向するように配置することができるシート状の第２ベースシートとからなり、
前記しおり体は、前記第１ベースシートに折り曲げ自在に接続され、前記第２ベースシートに対応する位置に伸びる、請求項１から請求項４のいずれかに記載の自動しおり。
【請求項６】
前記第２ベースシートは前記第１ベースシートの前記端縁において所定距離離れた一対の第１部分に接続され、
前記しおり体は、前記第１ベースシートの前記第１部分の各々の間に位置する第２部分に接続される、請求項５記載の自動しおり。
【請求項７】
前記第１ベースシート、前記第２ベースシート及び前記しおり体は、１枚のシートから前記しおり体に対応する部分を打ち抜くことによって形成される、請求項５又は請求項６記載の自動しおり。
【請求項８】
前記シートは合成樹脂よりなり、
前記しおり体の前記第１ベースシート側の連結部には、折り曲げ方向に直交する方向に平行な複数の折り目線が形成される、請求項７記載の自動しおり。
【発明の詳細な説明】
【技術分野】
【０００１】
この発明は自動しおりに関し、特に書籍のページを捲るごとに、見開いたページにしおりが自動的に繰り入れられる自動しおりに関するものである。
【背景技術】
【０００２】
図９は例えば出願人による特許第３５９２６８６号公報（特許文献１）に開示されている自動しおりの全体図であり、図１０は、図９の自動しおりを書籍にセットしページシートを捲った状態を示すしおり体部分の部分拡大図である。
【０００３】
これらの図を参照して、自動しおり５１は四角形のベースシート５５と、ベースシート５５の一辺に突出して設けられた一対の連結体５６ａ，連結体５６ｂと、一対の連結体５６ａ，連結体５６ｂに挟まれるように設けられた突出体６３と、その各々の連結体５６ａ，連結体５６ｂの先端である連結片７９ａ，連結片７９ｂで接続され、連結片７９ａ，連結片７９ｂと平行して複数本の折り目線６５ａ，折り目線６５ｂを入れて折り曲げ加工された一対の弾性体６２ａ，弾性体６２ｂと、その各々の弾性体６２ａ，弾性体６２ｂの先端に接続辺８０ａ，接続辺８０ｂで接続される一対のしおり片７８ａ，しおり片７８ｂをその先端部で接合しＶ字シート形状にしたＶ字しおり体７７とから構成される。この自動しおり５１は、１枚の合成樹脂シートを打ち抜いて形成されている。
【０００４】
製造時には、Ｖ字形状のＶ字しおり体７７と連結体５６ａ，連結体５６ｂとの接続部分である連結片７９ａ，連結片７９ｂをほぼ直角に折り曲げ、その連結片７９ａ，連結片７９ｂ近傍で連結体５６ａ，連結体５６ｂと逆側に折り曲げ、連結片７９ａ，連結片７９ｂに平行して複数本の折り目線６５ａ，折り目線６５ｂを入れることによって弾性体６２ａ，弾性体６２ｂを形成している。この折り目線６５ａ，折り目線６５ｂによってしおり体７７は、ベースシート５５とほぼ平行に対向するように加工されている。この時Ｖ字しおり体７７がページシート６７の面に被さるが、Ｖ字しおり体７７は無色透明であるので読書をすることに支障はない。又、ベースシート５５及び弾性体６２ａ，弾性体６２ｂは色付けされたり図柄が付されたりする。
【０００５】
使用時にあっては、図１０に示すように自動しおり５１を書籍６６にセットする。つまり書籍６６の見開いたページにベースシート５５を重ね、その上に適当量のページシート６７を乗せＶ字しおり体７７を重ねる。この自動しおり５１をセットした書籍６６のページシート６７を捲ると、書籍６６の小口側になるしおり片７８ａの傾斜辺６１ａがページシート６７の上方片７５に当接する。これによりＶ字形状の片側を形成するしおり片７８ａが最初に跳ね上げられる。もう一方のしおり片７８ｂは、Ｖ字の先端部でのみ繋がっているのでこの先端部を通じて力が伝わり続けて跳ね上げられる。このように、このしおり片７８ｂは、ページシート６７に当接する方のしおり片７８ａに遅れて跳ね上げられるので、このＶ字形状のＶ字しおり体７７全体としては捻られた形になる。
【０００６】
このように、Ｖ字形状のＶ字しおり体７７は、ページシート６７の上方片７５が傾斜辺６１ａに当接した時から捻られた状態になる。そのためＶ字形状のＶ字しおり体７７を跳ね上げる力は小さくてすむので、ページシート６７を捲る力も弱くてもすみ、更にその動作は滑らかである。又、連結体５６ａ，連結体５６ｂが設けられているので、ベースシート５５の基準辺である上方辺７６が連結体５６の上側面７０より連結体５６ａ，連結体５６ｂの分だけ下側に位置した時でも、弾性体６２ａ，弾性体６２ｂは書籍６６の上側面７０より上方に位置することになる。
【０００７】
又、連結体５６ａ，連結体５６ｂの間に設けた突出体６３の上方辺を連結体５６の上側面７０と同じレベルにすると連結体５６ａ，連結体５６ｂと弾性体６２ａ，弾性体６２ｂとの接続部分である連結片７９ａ，連結片７９ｂが連結体５６の上側面７０と同じレベルになるように構成されている。このため、突出体６３を用いてセットすると、自動しおり５１の調整が容易となる。更に、弾性体６２ａ，弾性体６２ｂは、折り曲げ加工がされているのでページシート６７を繰り返し捲った時でも折り目線が消えることがない。そのため自動しおり５１は耐久性がある。
【０００８】
【特許文献１】特許第３５９２６８６号公報
【発明の開示】
【発明が解決しようとする課題】
【０００９】
上記のような従来の自動しおりでは、しおり体がＶ字形状を有しているためページの捲りの方向に関わらずスムーズな捲りが可能となる。しかし、より軽い力で捲ることができるようにしおり体のしおり片をより細くすると、しおり体全体の強度が下がってしまい安定した捲り動作ができなくなってしまう。又、上記のような従来の自動しおりでは、使用時にあっては先ずベースシートを書籍の適当な箇所に挟む必要がある。しかし、ベースシートは挟まれているだけなので、その位置がずれる虞がある。
【００１０】
ベースシートがずれると、本来の正しい位置に対してしおり体もずれることになる。このため、安定したしおり体の機能が発揮されなくなってしまい、自動しおりとしての使い勝手が低下してしまう。
【００１１】
この発明は上記のような課題を解決するためになされたもので、しおり体が安定した状態においてページシートをより軽い力で滑らかに捲ることができる自動しおりを提供することを目的とする。
【課題を解決するための手段】
【００１２】
上記の目的を達成するために、請求項１記載の発明は、書籍に挟んで使用する自動しおりであって、シート状のベースシートと、ベースシートの端縁に接続され、ベースシートに対向する位置に伸びるしおり体とを備え、しおり体は、端縁であって所定距離離れた位置の各々に接続され、外方に向かうにつれて互いに接近すると共に各々の端部において接続して一体化する一対のしおり片と、しおり片の各々の中間部分に掛け渡すように接続される掛け渡し片とからなるものである。
【００１３】
このように構成すると、しおり片の各々が先端部のみならずその途中においても掛け渡し片によって連結される。
【００１４】
請求項２記載の発明は、請求項１記載の発明の構成において、しおり体は逆Ａ字形状を有するものである。
【００１５】
このように構成すると、しおり体が対称形状となる。
【００１６】
請求項３記載の発明は、書籍に挟んで使用する自動しおりであって、シート状のベースシートと、ベースシートの端縁に接続され、ベースシートに対向する位置に伸びるしおり体とを備え、しおり体は、端縁であって所定距離離れた位置の各々に接続され、外方に向かうにつれて互いに接近する一対の支持片と、支持片の各々の先端にその底辺の両端の一部が接続された三角形形状を有するしおり片とからなるものである。
【００１７】
このように構成すると、しおり片が一対の支持片によって支持される。
【００１８】
請求項４記載の発明は、請求項３記載の発明の構成において、しおり片は、底辺以外の二辺が等しい二等辺三角形形状を有すると共に、二辺と支持片の外方側の辺とが整列するものである。
【００１９】
このように構成すると、しおり体が対称形状となる。
【００２０】
請求項５記載の発明は、請求項１から請求項４のいずれかに記載の発明の構成において、ベースシートは、シート状の第１ベースシートと、第１ベースシートの端縁の少なくとも一部にその端縁が折り返し自在で接続され、第１ベースシートに対向するように配置することができるシート状の第２ベースシートとからなり、しおり体は第１ベースシートに折り曲げ自在に接続され、第２ベースシートに対応する位置に伸びるものである。
【００２１】
このように構成すると、第１ベースシートと第２ベースシートとの間に書籍のページシートを挟むとページシートの上端縁で第１ベースシート及び第２ベースシートが支持される。
【００２２】
請求項６記載の発明は、請求項５記載の発明の構成において、第２ベースシートは第１ベースシートの端縁において所定距離離れた一対の第１部分に接続され、しおり体は第１ベースシートの第１部分の各々の間に位置する第２部分に接続されるものである。
【００２３】
このように構成すると、しおり体の両側において第１ベースシート及び第２ベースシートはページシートによって支持される。
【００２４】
請求項７記載の発明は、請求項５又は請求項６記載の発明の構成において、第１ベースシート、第２ベースシート及びしおり体は、１枚のシート体からしおり体に対応する部分を打ち抜くことによって形成されるものである。
【００２５】
請求項８記載の発明は、請求項７記載の発明の構成において、シートは合成樹脂よりなり、しおり体の第１ベースシート側の連結部には、折り曲げ方向に直交する方向に平行な複数の折り目線が形成されるものである。
【００２６】
このように構成すると、連結部に弾性機能と形態保持機能とが付与される。
【発明の効果】
【００２７】
以上説明したように、請求項１記載の発明は、しおり片の各々は連結されるため、しおり片を細く形成してもしおり体全体の強度が向上するので使用勝手が向上する。
【００２８】
請求項２記載の発明は、請求項１記載の発明の効果に加えて、しおり体が対称形状となるため、右開き、左開きのいずれに対してもスムーズなページ捲りが可能となる。
【００２９】
請求項３記載の発明は、しおり片が一対の支持片によって支持されるため、支持片を細く形成してもしおり体全体の強度が向上するので、使用勝手が向上する。
【００３０】
請求項４記載の発明は、請求項３記載の発明の効果に加えて、しおり体が対称形状となるため、右開き、左開きのいずれに対してもスムーズなページ捲りが可能となる。
【００３１】
請求項５記載の発明は、請求項１から請求項４のいずれかに記載の発明の効果に加えて、ページシートの上端縁で第１ベースシート及び第２ベースシートとが支持されるため、第１ベースシートの位置が一定となり、その結果しおり体の位置も常に一定となる。これによってしおり体の機能が安定して発揮され、使用時の信頼性が向上する。
【００３２】
請求項６記載の発明は、請求項５記載の発明の効果に加えて、しおり体の両側において第１ベースシート及び第２ベースシートがページシートによって支持されるため、第１ベースシートが傾く虞がなくなり、しおり体の機能がより安定して発揮される。
【００３３】
請求項７記載の発明は、請求項５又は請求項６記載の発明の効果に加えて、１枚のシートの各部分が第１ベースシート、第２ベースシート及びしおり体に対応するため各部の接続工程等が不要となり、コスト的に有利な自動しおりとなる。
【００３４】
請求項８記載の発明は、請求項７記載の発明の効果に加えて、連結部に弾性機能と形態保持機能とが付与されるため、より効果的なしおり体が簡易に形成される。
【発明を実施するための最良の形態】
【００３５】
図１はこの発明の第１の実施の形態による自動しおりの外観形状を示した斜視図であり、図２は図１の自動しおりの展開状態を示した図である。
【００３６】
これらの図を参照して、自動しおり１３はコーナーが丸められた１枚の矩形シート形状のシート１４から形成されている。シート１４はポリエチレン、ポリプロピレン等の合成樹脂より形成されている。
【００３７】
図２に示されているように、シート１４は大きくは第１ベースシート１５の部分とシート１４の部分とに分けられており、これらの境界には折り目線が形成され、折り曲げ自在に構成されている。折り目線は具体的には両外側部分の一対の第１部分２５ａ，第１部分２５ｂと中央部側の一対の第２部分２７ａ，第２部分２７ｂとから構成されている。
【００３８】
又、第２ベースシート１６の中央にはＡ字形状を有するしおり体１８を構成する一対のしおり片２０ａ，しおり片２０ｂと、しおり片２０ａ，しおり片２０ｂの各々の中間部に掛け渡すように接続される掛け渡し片２２とが、第２ベースシート１６に対して切れ目２６を形成することによって作成されている。すなわち、切れ目２６の形成によって第１部分４１及び第２部分４２が打ち抜かれて、図のようなＡ字形状のしおり体１８が形成される。しおり片２０ａ，しおり片２０ｂの各々は、第１ベースシート１５から離れるにつれて接近し、各々の先端部において接続して一体化して頂部２４を構成している。そして、しおり体１８のしおり片２０ａ，しおり片２０ｂは、第１ベースシート１５に対して第２部分２７ａ，第２部分２７ｂの位置で接続された状態となる。
【００３９】
尚、しおり片２０ａ，しおり片２０ｂの掛け渡し片２２より第１ベースシート１５側の部分には、第２部分２７ａ，第２部分２７ｂに対して平行な複数の折り目線２３ａ，折り目線２３ｂが形成されている。又、この実施の形態による自動しおり１３にあっては、しおり片２０ａ，しおり片２０ｂの掛け渡し片２２より先端側は無色透明であり、他の部分は着色されているが、この部分が少なくとも透明であれば良く、又、他の部分も透明であっても良い。掛け渡し片２２の部分には広告文字等を入れることも可能である。
【００４０】
このようにして自動しおり１３は１枚のシート１４から形成されているため、コスト的に有利なものとなる。そこで、図１に示すような製品とするためには、先ず図２に示した状態から第２ベースシート１６を第１部分２５ａ，第１部分２５ｂに沿って第１ベースシート１５上に重なるように折り返す。次に残ったしおり体１８のしおり片２０ａ，しおり片２０ｂの第１ベースシート１５側の部分を、折り目線２３ａ，折り目線２３ｂに沿って徐々に第１ベースシート１５側に折り返す。この時しおり片２０ａ，しおり片２０ｂには折り目線２３ａ，折り目線２３ｂが形成されているため、所望の折り癖を容易に付けることが可能となる。そして同様にしおり体１８のしおり片２０ａ，しおり片２０ｂの先端側に対しても、しおり片２０ａ，しおり片２０ｂに沿って頂部２４が図１に示すように第２ベースシート１６の面側に近付くように折り癖を付ける。このように折り目線２３ａ，折り目線２３ｂに沿ってしおり体１８を折り曲げて形成することによって、しおり体１８には形態保持機能と弾性機能とが付与されることになる。このようにして、図１に示した自動しおり１３が容易に完成する。
【００４１】
尚、しおり体１８の中央部にはしおり片２０ａ，しおり片２０ｂを掛け渡す掛け渡し片２２が形成されている。このため、しおり片２０ａ，しおり片２０ｂを従来に比べてかなりその幅を細くしても掛け渡し片２２と一体となるために後述するようにしおり体１８全体の強度が向上すると共に、しおり片２０ａ，しおり片２０ｂの変形が容易となる。この実施の形態では、図２においてしおり体の高さは５０ｍｍであり、その第１ベースシート１５側の幅は４０ｍｍに設定されている。又、しおり片２０の各々の幅は５ｍｍに設定されている。更に、掛け渡し片２２の第１ベースシート１５からの距離はその下端で２０ｍｍであり、その幅は各々５ｍｍに設定されている。
【００４２】
次にこの自動しおり１３の使用方法について説明する。
【００４３】
図３は図１で示した自動しおりの使用に際して行う書籍に対する装着方法を示した斜視図である。
【００４４】
図を参照して、自動しおり１３を書籍２８に装着するに当たっては、例えば裏表紙３０の前方に位置する最後方のページシート２９に対して、これを自動しおり１３の第１ベースシート１５及び第２ベースシート１６で挟むようにして自動しおり１３を降下させる。第２ベースシート１６は第１部分２５ａ，第１部分２５ｂを介して折り返された状態となっているため、ページシート２９の上方辺がこれらの内面に当接することになる。これによって自動しおり１３は第１部分２５ａ，第１部分２５ｂを介してページシート２９によって支持された状態となる。したがって、自動しおり１３はこの状態から下方向にずれる虞はない。
【００４５】
図４は図３の状態から自動しおり１３を使用開始状態にセットした状態を示した斜視図である。
【００４６】
図を参照して、図３に示したように自動しおり１３のしおり体１８を上方に持ち上げた状態で第２ベースシート１６の全面に重なるように、開いていた一定量のページシート群３２を裏表紙３０側に戻すようにする。そしてこの状態で持ち上げられたしおり体１８をページシート群３２の前面側に接するように降ろすことによって、自動しおり１３の装着が完成する。この状態にあっても、自動しおり１３を構成する第１ベースシート１５及び第２ベースシート１６はページシート２９の上方辺によって支持された状態が変わらないため、自動しおり１３が図４の状態から下方向にずれるような虞はない。尚、上述のようにしおり体１８の掛け渡し片２２より先端側は無色透明であるため、ページシート群３２の前方のページシートに被さってもそのページ面を読むことに支障はない。
【００４７】
図５は図４で示したＶ−Ｖラインの拡大断面図である。
【００４８】
上述のようにページシート２９によって、自動しおり１３の第１ベースシート１５及び第２ベースシート１６は位置決めされた状態となるため、自動しおり１３のしおり体１８のページシート群３２の上面に対する位置関係も常に一定となる。又、この状態にあっては、ページシート群３２によって自動しおり１３の第１ベースシート１５及び第２ベースシート１６は裏表紙３０側に押さえ付けられた状態となるため、自動しおり１３の取り付け状態がより安定する。
【００４９】
図６は、図４に示した自動しおり１３の装着状態からページシートを捲りだした状態を示した斜視図である。
【００５０】
図を参照して、ページシート群３２の前方のページシート３５を捲ると、その上方辺３６はしおり体１８を構成するしおり片２０ａの外方側の辺に沿って移動することになる。しおり体１８の折り曲げ部１９ａ，折り曲げ部１９ｂは上述のように折り目線の効果によって弾性機能と形態保持機能とを有している。そのため、しおり体１８のしおり片２０ａはページシート３５を捲ることによって上方辺３６を介して上方に持ち上げられることになる。この時、上方辺３６と接するしおり片２０ａの辺は内方側に傾斜するように構成されているため、しおり片２０ａはスムーズに上方に上がることになる。この場合、上述のようにしおり片２０ａ，しおり片２０ｂの幅が細く形成されているため、しおり片２０ａ，しおり片２０ｂは容易に変形しより軽やかにページシート３５を捲ることが可能となる。
【００５１】
ページシート３５を完全に捲り終わると、しおり体１８のしおり片２０ａ，しおり片２０ｂが、折り曲げ部１９ａ，折り曲げ部１９ｂの機能によって図４に示したような元の位置に復帰する。これによって以後同様にページシート群３２を捲ることによって、しおり体１８のしおり片２０ａ，しおり片２０ｂの先端側部分は常に最新のページの上に位置することになり、しおりとしての機能を自動的に発揮する。
【００５２】
そして、ページシート群３２をいずれの位置まで捲った状態にあっても、しおり体１８のページシート群３２に対する位置関係は、図５に示した状態から変わることはない。
【００５３】
したがって、しおり体１８は常に安定したしおりとしての機能を発揮するため使い勝手が向上する。
【００５４】
図７はこの発明の第２の実施の形態による自動しおりの外観形状を示した斜視図であり、図８は図７の自動しおりの展開状態を示した図である。
【００５５】
この実施の形態による自動しおりにあっては、先の第１の実施の形態に対してしおり体の形状のみが異なっているが、他の部分は基本的に同一である。したがって、しおり体の部分を中心に以下説明する。
【００５６】
これらの図を参照して、第２ベースシート１６の中央には、第１ベースシート１５と第２ベースシート１６の折り目部分において所定距離離れた位置の第２部分２７ａ，第２部分２７ｂに接続され、第１ベースシート１５から離れるにつれて互いに接近する一対の支持片３８ａ，支持片３８ｂと、支持片３８ａ，支持片３８ｂの各々の先端にその底辺の両端の一部が接続された二等辺三角形形状を有するしおり片３９とが、第２ベースシート１６に対して切れ目２６を形成することによって構成されている。すなわち、切れ目２６の形成によって部分４４が打ち抜かれて、図のような特殊形状のしおり体１８が形成される。尚、支持片３８ａ，支持片３８ｂの第１ベースシート１５側の部分には、第２部分２７ａ，第２部分２７ｂに対して平行な複数の折り目線２３ａ，折り目線２３ｂが形成されている。又、この実施の形態にあっては、しおり片３９は無色透明であり、他の部分は着色されているが他の部分も透明であっても良い。
【００５７】
図８の展開状態から図７の使用可能状態へは、先の第１の実施の形態と同様にすれば良いため、ここでの説明は繰り返さない。
【００５８】
この実施の形態による自動しおりの使用方法についても、先の第１の実施の形態によるものと同様であるため、ここでの説明は繰り返さない。
【００５９】
この実施の形態による自動しおりにあっては、しおり体の先端部が二等辺三角形形状のしおり片３９となり、これを一対の支持片３８ａ，支持片３８ｂで支持した状態となっている。そして、しおり片３９の底部以外の二辺と支持片３８ａ，３８ｂの外方側の辺とが整列するように形成されている。そのため、支持片３８ａ，支持片３８ｂの幅を細くしても、しおり片３９を介してしおり体１８は一体化するため、先の第１の実施の形態と同様により軽快にページシートを捲れると共にしおり体１８の強度が向上する。
【００６０】
尚、上記の第１の実施の形態では、掛け渡し片はしおり片の各々のほぼ中央部に接続されているが、この接続位置は他の位置でも良く、又、掛け渡し片は２以上であっても良い。
【００６１】
又、上記の各実施の形態では、しおり片や支持片に折り目線が複数形成されているが、形成数はこれに限らず、又、折り目線はなくても良い。
【００６２】
更に、上記の各実施の形態では、しおり体は左右対称形状となっているが、対称形状でなくても、少なくとも捲るページシートと接する部分が背表紙側に傾斜していれば良い。
【００６３】
更に、上記の各実施の形態では、第２ベースシートは一対の第１の部分の各々を介して第１ベースシートに接続されているが、片側の部分のみ接続されるように構成しても良い。この場合、自動しおりは若干傾き易くなるが、ページシートに支持される状態は維持されるため、装着状態は安定する。
【００６４】
更に、上記の各実施の形態では、第１ベースシート、第２ベースシート及びしおり体は１枚の合成樹脂シートから形成されているが、これに限らず各部分がそれぞれ別体で構成され、互いに接続するように構成しても同様の効果を奏する。又、第１ベースシートと第２ベースシートとは１枚のシートより構成し、しおり体だけを別体としてこれらに接続するように構成しても良い。更に、図９に示した従来例のように第２ベースシートがない構造であっても、しおり体による効果は同様に奏する。
【００６５】
更に、上記の各実施の形態では、しおり体は切れ目の位置でシートから打ち抜かれたものとなっているが、第２ベースシートに残る開口はしおり体より大きな形状であっても同様の効果を奏する。
【００６６】
更に、上記の各実施の形態では、第１ベースシートの一対の第１部分の各々に第２ベースシートが接続しているが、第２ベースシートが２枚のシートに分離され、各々が第１部分の各々に接続するように構成しても同様の効果を奏する。
【００６７】
更に、上記の各実施の形態では、第１ベースシート及び第２ベースシートの各々は背表紙側まで押し込むようには装着されていないが、これらの形状を大きくして背表紙側に押し込むように使用できるように構成すれば、より装着状態が安定する。
【図面の簡単な説明】
【００６８】
【図１】この発明の第１の実施の形態による自動しおりの外観形状を示した斜視図である。
【図２】図１で示した自動しおりの展開状態を示した正面図である。
【図３】図１で示した自動しおりの装着の開始状態を示した斜視図である。
【図４】図１で示した自動しおりの装着の完了状態を示した斜視図である。
【図５】図４で示したＶ−Ｖラインの拡大断面図である。
【図６】図４で示した自動しおりの装着状態からページシートを捲っている状態を示した斜視図である。
【図７】この発明の第２の実施の形態による自動しおりの外観形状を示した斜視図である。
【図８】図７で示した自動しおりの展開状態を示した正面図である。
【図９】従来の自動しおりの外観形状を示した斜視図である。
【図１０】図９で示した自動しおりを書籍にセットしページシートを捲った状態を示すしおり体付近の部分拡大図である。
【符号の説明】
【００６９】
１３…自動しおり
１４…シート
１５…第１ベースシート
１６…第２ベースシート
１８…しおり体
２３…折り目線
２５…第１部分
２６…切れ目
２７…第２部分
２８…書籍
３８…支持片
３９…しおり片
尚、各図中同一符号は同一又は相当部分を示す。
【図１】
2008030200.tif 000003
【図２】
2008030200.tif 000004
【図３】
2008030200.tif 000005
【図４】
2008030200.tif 000006
【図５】
2008030200.tif 000007
【図６】
2008030200.tif 000008
【図７】
2008030200.tif 000009
【図８】
2008030200.tif 000010
【図９】
2008030200.tif 000011
【図１０】
2008030200.tif 000012